(57)【要約】【課題】除霜時間を短縮する空気調和機を提案する。【解決手段】本開示の空気調和機１は、圧縮機（１０）と、室外熱交換器（２０）とを有する室外機（２）と、室外機（２）に接続される複数の室内機（３Ａ，３Ｂ，３Ｃ）と、各室内機（３Ａ，３Ｂ，３Ｃ）にそれぞれ対応する複数の電動膨張弁（３０Ａ，３０Ｂ，３０Ｃ）と、複数の電動膨張弁（３０Ａ，３０Ｂ，３０Ｃ）を制御する制御部（５０）とを備える。制御部（５０）は、除霜運転において、複数の室内機（３Ａ，３Ｂ，３Ｃ）のうちの除霜運転の直前に運転していた室内機（３Ａ）に対応する電動膨張弁（３０Ａ）を開くとともに、複数の室内機（３Ａ，３Ｂ，３Ｃ）のうちの除霜運転の直前に停止していた室内機（３Ｂ，３Ｃ）に対応する電動膨張弁（３０Ｂ，３０Ｃ）を開くように、複数の電動膨張弁（３０Ａ，３０Ｂ，３０Ｃ）を制御する。【選択図】図１
2019143951.tif 000002
【特許請求の範囲】
【請求項１】
圧縮機（１０）と、室外熱交換器（２０）とを有する室外機（２）と、
上記室外機（２）に接続される複数の室内機（３Ａ，３Ｂ，３Ｃ）と、
上記各室内機（３Ａ，３Ｂ，３Ｃ）にそれぞれ対応する複数の電動膨張弁（３０Ａ，３０Ｂ，３０Ｃ）と、
上記複数の電動膨張弁（３０Ａ，３０Ｂ，３０Ｃ）を制御する制御部（５０）と
を備え、
上記制御部（５０）は、上記室外機（２）の上記室外熱交換器（２０）の除霜運転において、上記複数の室内機（３Ａ，３Ｂ，３Ｃ）のうちの上記除霜運転の直前に運転していた室内機に対応する電動膨張弁を開くとともに、上記複数の室内機（３Ａ，３Ｂ，３Ｃ）のうちの上記除霜運転の直前に停止していた室内機に対応する電動膨張弁を開くように、上記複数の電動膨張弁（３０Ａ，３０Ｂ，３０Ｃ）を制御することを特徴とする空気調和機（１）。
【請求項２】
請求項１に記載の空気調和機（１）であって、
上記制御部（５０）は、上記除霜運転において、上記複数の室内機（３Ａ，３Ｂ，３Ｃ）のうちの上記除霜運転の直前に運転していた室内機に対応する電動膨張弁の開度が、上記複数の室内機（３Ａ，３Ｂ，３Ｃ）のうちの上記除霜運転の直前に停止していた室内機に対応する電動膨張弁の開度よりも大きくなるように、上記複数の電動膨張弁（３０Ａ，３０Ｂ，３０Ｃ）を制御することを特徴とする空気調和機（１）。
【請求項３】
請求項１又は２に記載の空気調和機であって、
上記制御部（５０）は、上記除霜運転において、上記複数の室内機（３Ａ，３Ｂ，３Ｃ）のうちの上記除霜運転の直前に運転していた室内機の数が増えるほど、上記複数の室内機（３Ａ，３Ｂ，３Ｃ）のうちの上記除霜運転の直前に運転していた室内機に対応する電動膨張弁の開度を大きくするように、上記複数の電動膨張弁（３０Ａ，３０Ｂ，３０Ｃ）を制御することを特徴とする、空気調和機（１）。
【請求項４】
請求項１から３のいずれか１項に記載の空気調和機であって、
上記除霜運転は、
上記除霜運転開始から上記圧縮機（１０）の起動までの均圧区間と、
上記圧縮機（１０）の起動から停止までの圧縮機動作区間と
を備え、
上記制御部（５０）は、上記圧縮機動作区間の上記圧縮機（１０）の起動時に、上記複数の室内機（３Ａ，３Ｂ，３Ｃ）のうちの上記除霜運転の直前に運転していた室内機に対応する電動膨張弁の開度が、上記均圧区間における該電動膨張弁の開度よりも小さい所定開度になり、その後、上記所定開度以上の開度になるように、該電動膨張弁を制御することを特徴とする、空気調和機（１）。
【請求項５】
請求項１から４のいずれか１項に記載の空気調和機であって、
上記複数の室内機（３Ａ，３Ｂ，３Ｃ）のうち、少なくとも１つの室内機の定格冷房能力は２．２ｋｗ未満であることを特徴とする、空気調和機（１）。
【発明の詳細な説明】
【技術分野】
【０００１】
本開示は、空気調和機に関する。
【背景技術】
【０００２】
従来の空気調和機としては、暖房運転中において除霜運転しようとする時、使用している室内機と停止している室内機が存在する場合、使用している室内機の熱交換器に冷媒を循環させず、停止している室内機の熱交換器内に冷媒を循環させるように制御するものがある（特許文献１参照）。
【先行技術文献】
【特許文献】
【０００３】
【特許文献１】特開２００２−１４７８７９号公報
【発明の概要】
【発明が解決しようとする課題】
【０００４】
しかし、特許文献１の空気調和機では、停止している室内機が設置された部屋における吸熱量が少なく、除霜時間が長くなるという問題がある。
【０００５】
本開示は、除霜時間を短縮する空気調和機を提案する。
【課題を解決するための手段】
【０００６】
本開示の空気調和機は、
圧縮機と、室外熱交換器とを有する室外機と、
上記室外機に接続される複数の室内機と、
上記各室内機にそれぞれ対応する複数の電動膨張弁と、
上記複数の電動膨張弁を制御する制御部と
を備え、
上記制御部は、上記室外機の上記室外熱交換器の除霜運転において、上記複数の室内機のうちの上記除霜運転の直前に運転していた室内機に対応する電動膨張弁を開くとともに、上記複数の室内機のうちの上記除霜運転の直前に停止していた室内機に対応する電動膨張弁を開くように、上記複数の電動膨張弁を制御することを特徴とする。
【０００７】
本開示によれば、除霜運転の直前に運転していた室内機と、除霜運転の直前に停止していた室内機との両方で吸熱させて除霜運転を行う。このため、除霜運転の直前に運転していた室内機と除霜運転の直前に停止していた室内機とのうちの一方を使用して除霜運転を行う場合と比較して、吸熱量を増加させることができ、除霜運転の運転時間を短縮できる。
【０００８】
一実施形態の空気調和機では、
上記制御部は、上記除霜運転において、上記複数の室内機のうちの上記除霜運転の直前に運転していた室内機に対応する電動膨張弁の開度が、上記複数の室内機のうちの上記除霜運転の直前に停止していた室内機に対応する電動膨張弁の開度よりも大きくなるように、上記複数の電動膨張弁を制御することを特徴とする。
【０００９】
上記実施形態によれば、除霜運転の直前に停止していた室内機に流入する冷媒の量を抑制することができるので、除霜運転の直前に停止していた室内機から外部に漏れる冷媒音を低減できる。
【００１０】
一実施形態の空気調和機では、
上記除霜運転は、
上記除霜運転開始から上記圧縮機の起動までの均圧区間と、
上記圧縮機の起動から停止までの圧縮機動作区間と
を備え、
上記制御部は、上記圧縮機動作区間の上記圧縮機の起動時に、上記複数の室内機のうちの上記除霜運転の直前に運転していた室内機に対応する電動膨張弁の開度が、上記均圧区間における該電動膨張弁の開度よりも小さい所定開度になり、その後、上記圧縮機動作区間において上記所定開度以上の開度になるように、該電動膨張弁を制御することを特徴とする。
【００１１】
上記実施形態によれば、圧縮機動作区間において圧縮機を起動させたときに、除霜運転の直前に運転していた室内機に流入する冷媒の量を抑制して、該室内機から外部に漏れる冷媒音を低減できる。
【００１２】
一実施形態の空気調和機では、
上記制御部は、上記除霜運転において、上記複数の室内機のうちの上記除霜運転の直前に運転していた室内機の数が増えるほど、上記複数の室内機のうちの上記除霜運転の直前に運転していた室内機に対応する電動膨張弁の開度を大きくするように、上記複数の電動膨張弁を制御することを特徴とする。
【００１３】
一実施形態の空気調和機では、
上記複数の室内機のうち、少なくとも１つの室内機の定格冷房能力は２．２ｋｗ未満であることを特徴とする。
【図面の簡単な説明】
【００１４】
【図１】本開示の第１実施形態に係る空気調和機の構成図である。
【図２】本開示の第１実施形態に係る空気調和機の室内機を下方から見た外観図である。
【図３】本開示の第１実施形態に係る除霜運転前後のタイムチャートである。
【図４】本開示の第２実施形態に係る除湿運転前後のタイムチャートである。
【図５】本開示の第３実施形態に係る除湿運転前後のタイムチャートである。
【発明を実施するための形態】
【００１５】
以下、本開示の実施形態に係る空気調和機を添付図面を参照して説明する。
【００１６】
［第１実施形態］
図１は、本開示の第１実施形態に係る空気調和機の構成図である。
【００１７】
図１を参照すると、本実施形態の空気調和機１は、室外機２と、室外機２に冷媒配管を介してそれぞれ接続された３つの室内機３Ａ，３Ｂ，３Ｃとを備える。３つの３Ａ，３Ｂ，３Ｃは、冷媒配管によって並列に接続されている。
【００１８】
室外機２は、圧縮機１０と、室外熱交換器２０と、３つの室内機３Ａ，３Ｂ，３Ｃにそれぞれ対応する３つの電動膨張弁３０Ａ，３０Ｂ，３０Ｃと、四路切換弁４０と、室外制御装置（制御部）５０とを備える。
【００１９】
圧縮機１０は、図示しないモータが内蔵されており、上記モータによって駆動されると、圧縮機１０の吸入側の冷媒配管から冷媒を吸入し、圧縮して圧縮機１０の吐出側の冷媒配管に吐出する。圧縮機１０の吸入側の冷媒配管には、アキュムレータ１１が設けられている。また、圧縮機１０は、室外制御装置５０の制御に応じて運転周波数を変更可能なように構成されている。
【００２０】
室外熱交換器２０は、冷媒回路を流れる冷媒と室外空気との間で熱交換を行わせる熱交換器である。また、室外機２は、室外熱交換器２０の温度を検出する温度センサ２１と、室外熱交換器２０に室外空気を搬送する室外ファン２２とを更に備える。
【００２１】
電動膨張弁３０Ａは、電動膨張弁３０Ａを通過する冷媒を減圧し、電動膨張弁３０Ａを通過する冷媒の流量を調整する。電動膨張弁３０Ａは、室外熱交換器２０と室内機３Ａとを接続する冷媒配管に設けられている。電動膨張弁３０Ａは、暖房運転、冷房運転及び除霜運転において、電動膨張弁３０Ａの開度ＶＡを調節することで、室内機３Ａを介して流れる冷媒の流量を調節する。また、電動膨張弁３０Ａは、室外制御装置５０の制御によって、開度ＶＡを調節可能なように構成されている。
【００２２】
電動膨張弁３０Ｂは、電動膨張弁３０Ｂを通過する冷媒を減圧し、電動膨張弁３０Ｂを通過する冷媒の流量を調整する。電動膨張弁３０Ｂは、室外熱交換器２０と室内機３Ｂとを接続する冷媒配管に設けられている。電動膨張弁３０Ｂは、暖房運転、冷房運転及び除霜運転において、電動膨張弁３０Ｂの開度ＶＢを調節することで、室内機３Ｂを介して流れる冷媒の流量を調節する。また、電動膨張弁３０Ｂは、室外制御装置５０の制御によって、開度ＶＢを調節可能なように構成されている。
【００２３】
電動膨張弁３０Ｃは、電動膨張弁３０Ｃを通過する冷媒を減圧し、電動膨張弁３０Ｃを通過する冷媒の流量を調整する。電動膨張弁３０Ｃは、室外熱交換器２０と室内機３Ｃとを接続する冷媒配管に設けられている。電動膨張弁３０Ｃは、暖房運転、冷房運転及び除霜運転において、電動膨張弁３０Ｃの開度ＶＣを調節することで、室内機３Ｃを介して流れる冷媒の流量を調節する。また、電動膨張弁３０Ｃは、室外制御装置５０の制御によって、開度ＶＣを調節可能なように構成されている。
【００２４】
四路切換弁４０は、第１ポート４１と、第２ポート４２と、第３ポート４３と、第４ポート４４とを備える。第１ポート４１は、圧縮機１０の吐出側の冷媒配管と接続されており、第２ポート４２は、圧縮機１０の吸入側の冷媒配管と接続されている。また、第３ポート４３は、室外熱交換器２０と冷媒配管を介して接続されており、第４ポート４４は、室内機３Ａ，３Ｂ，３Ｃと冷媒配管を介してそれぞれ接続されている。四路切換弁４０は、暖房運転時には、第１ポート４１と第４ポート４４とを連通させ、第２ポート４２と第３ポート４３とを連通させる（図中実線の切換位置）。また。四路切換弁４０は、冷房運転時及び除霜運転時には、第１ポート４１と第３ポート４３とを連通させ、第２ポート４２と第４ポート４４とを連通させる（図中破線の切換位置）。
【００２５】
室内機３Ａは、室内６０Ａと、室内熱交換器６０Ａに室内空気を搬送する室内ファン６１Ａと、室内ファン６１Ａの運転を制御する室内制御部６２Ａとを備える。
【００２６】
室内機３Ｂは、室内熱交換器６０Ｂと、室内熱交換器６０Ｂに室内空気を搬送する室内ファン６１Ｂと、室内ファン６１Ｂの運転を制御する室内制御部６２Ｂとを備える。
【００２７】
室内機３Ｃは、室内熱交換器６０Ｃと、室内熱交換器６０Ｃに室内空気を搬送する室内ファン６１Ｃと、室内ファン６１Ｃの運転を制御する室内制御部６２Ｃとを備える。
【００２８】
室内機３Ａ，３Ｂ，３Ｃの室内制御部６２Ａ，６２Ｂ，６２Ｃは、室外機２の室外制御装置５０と通信線(図示せず)を介して互いに通信を行う。これにより、室外機２の室外制御装置５０と、室内機３Ａ，３Ｂ，３Ｃの室内制御部６２Ａ，６２Ｂ，６２Ｃとが協調動作することにより、マルチ型空気調和機として動作する。
【００２９】
圧縮機１０と、アキュムレータ１１と、四路切換弁４０と、室外熱交換器２０と、電動膨張弁３０Ａ，３０Ｂ，３０Ｃと、室内熱交換器６０Ａ，６０Ｂ，６０Ｃと、これらを接続する冷媒配管とで冷媒回路を構成している。図１において、７０Ａ，７０Ｂ，７０Ｃは冷媒配管接続部である。同様に、図１において、７１Ａ，７１Ｂ，７１Ｃは、冷媒配管接続部である。
【００３０】
本実施形態の室内機３Ａは、洗面所やキッチンなどの狭い空間の冷暖房に適した低能力室内機であり、定格冷房能力が２．２ｋｗ未満である。具体的には、室内機３Ａの定格冷房能力は、０．８ｋｗであり、室内機３Ｂ，３Ｃの定格冷房能力は、２．８ｋｗである。
【００３１】
図２は、室内機３Ａを斜め下方から見た外観図である。この室内機は、天井埋め込み型の室内機である。
【００３２】
この室内機３Ａは、図２に示すように、ケーシング本体１０１と、ケーシング本体１０１の下側に取り付けられた矩形状のパネル１０２と、パネル１０２に着脱可能に取り付けられたグリル１０３とを備えている。ケーシング本体１０１とパネル１０２およびグリル１０３でケーシングを構成している。
【００３３】
パネル１０２の長手方向の一方に、パネル１０２の短辺に沿って吹出口１１０を設けている。また、パネル１０２にフラップ１２０を回動可能に取り付けている。図２では、フラップ１２０により吹出口１１０が閉じられた状態を示す。
【００３４】
また、ケーシング本体１０１の側壁から突出するようにドレンソケット１０４を設けている。このドレンソケット１０４に外部からドレンホース(図示せず)を接続する。また、配管接続部１０５,１０６を、ケーシング本体１０１の側壁から突出するように設けている。この配管接続部１０５,１０６に、外部から冷媒配管(図示せず)を接続する。
【００３５】
なお、図２において、１０７は電装品部であり、１１１〜１１３は、ケーシング本体１０１から側方に突出するように夫々設けられた吊り金具である。
【００３６】
以下、図１を参照して、暖房運転時及び冷房運転時の空気調和機１の動作を説明する。
【００３７】
（暖房運転時）
室内機３Ａ，３Ｂ，３Ｃで暖房運転を行う場合、四路切換弁４０を図１の実線の位置に切り換えて、圧縮機１０の運転を開始する。そして、電動膨張弁３０Ａ，３０Ｂ，３０Ｃを夫々所定の開度に開く。圧縮機１０から吐出した高温高圧のガス冷媒は、室内ファン６１Ａ，６１Ｂ，６１Ｃを運転することにより室内熱交換器６０Ａ，６０Ｂ，６０Ｃで室内空気との熱交換により凝縮して液冷媒となる。
【００３８】
次に、室内熱交換器６０Ａ，６０Ｂ，６０Ｃからの液冷媒は、電動膨張弁３０Ａ，３０Ｂ，３０Ｃで減圧された後、室外熱交換器２０で室外ファン２２を運転することにより室外空気との熱交換により蒸発してガス冷媒となり、圧縮機１０の吸入側に戻る。
【００３９】
（冷房運転時）
室内機３Ａ，３Ｂ，３Ｃで冷房運転を行う場合、四路切換弁４０を図１の点線の位置に切り換えて、圧縮機１０の運転を開始する。そして、電動膨張弁３０Ａ，３０Ｂ，３０Ｃを夫々所定の開度に開く。圧縮機１０から吐出した高温高圧のガス冷媒は、室外熱交換器２０で室外ファン２２を運転することにより室外空気との熱交換により凝縮して液冷媒となる。
【００４０】
次に、室内熱交換器６０Ａ，６０Ｂ，６０Ｃからの液冷媒は、電動膨張弁３０Ａ，３０Ｂ，３０Ｃで減圧された後、室内ファン６１Ａ，６１Ｂ，６１Ｃを運転することにより室内熱交換器６０Ａ，６０Ｂ，６０Ｃで室内空気との熱交換により蒸発してガス冷媒となり、圧縮機１０の吸入側に戻る。
【００４１】
（除霜運転）
図３は、本実施形態の空気調和機１に係る除霜運転前後の圧縮機１０（図１に示す）及び電動膨張弁３０Ａ，３０Ｂ，３０Ｃ（図１に示す）の動作を表すタイムチャートである。具体的には、図３は、除霜運転前後における、圧縮機１０の運転周波数ＦＤと、電動膨張弁３０Ａ，３０Ｂ，３０Ｃの開度ＶＡ，ＶＢ，ＶＣとの時間推移を示す。本実施形態では、暖房運転中に所定の除霜開始条件を満たすと、室外制御装置５０（図１に示す）は、除霜運転を開始する。上記除霜開始条件とは、例えば、温度センサ２１（図１に示す）によって検出された室外熱交換器２０（図１に示す）の温度条件である。
【００４２】
図３を参照すると、本実施形態の除霜運転は、除霜運転開始から圧縮機１０の起動までの第１均圧区間と、圧縮機１０の起動から停止までの圧縮機動作区間と、圧縮機１０の停止から除霜運転終了までの第２均圧区間とを含む。
【００４３】
本実施形態では、室内機３Ａ（図１示す）は、除霜運転の直前に運転していた室内機であり、室内機３Ｂ（図１示す）と室内機３Ｃ（図１示す）とは、除霜運転の直前に停止していた室内機である。室外制御装置５０は、室内機３Ａ，３Ｂ，３Ｃの室内制御部６２Ａ，６２Ｂ，６２Ｃ（図１示す）と互いに通信することで、除霜運転の直前の室内機３Ａ，３Ｂ，３Ｃの運転状況を取得する。室外制御装置５０は、除霜運転の直前に運転していた室内機と、除霜運転の直前に停止していた室内機とで、異なる制御を行う。
【００４４】
（第１均圧区間）
室外制御装置５０は、除霜運転が開始すると時間Ｔ１の間、圧縮機１０の運転を停止状態に維持するように、圧縮機１０を制御するとともに、除霜運転の直前に運転していた室内機３Ａに対応する電動膨張弁３０Ａの開度ＶＡが開度ＰＡ１に維持されるように、電動膨張弁３０Ａを制御する。
【００４５】
このとき、室外制御装置５０は、除霜運転の直前に停止していた室内機３Ｂに対応する電動膨張弁３０Ｂの開度ＶＢが開度ＰＢ１に維持されるように、電動膨張弁３０Ｂを制御する。同様に、室外制御装置５０は、除霜運転の直前に停止していた室内機３Ｃに対応する電動膨張弁３０Ｂの開度ＶＢが開度ＰＢ１に維持されるように、電動膨張弁３０Ｃを制御する。
【００４６】
第１均圧区間では、圧縮機１０を停止させた状態で、電動膨張弁３０Ａ，３０Ｂ，３０Ｃを開くことで、電動膨張弁３０Ａ，３０Ｂ，３０Ｃの高圧側の圧力と低圧側の圧力とを均等にする。
【００４７】
（圧縮機動作区間）
室外制御装置５０は、除霜運転の開始から時間Ｔ１が経過した後、時間Ｔ２の間、圧縮機１０を運転周波数ＦＤ１で運転するように圧縮機１０を制御するとともに、除霜運転の直前に運転していた室内機３Ａに対応する電動膨張弁３０Ａの開度ＶＡを均圧区間での開度ＰＡ１よりも小さい開度ＰＡ２（所定開度）に維持するように、電動膨張弁３０Ａを制御する。
【００４８】
このとき、室外制御装置５０は、除霜運転の直前に停止していた室内機３Ｂに対応する電動膨張弁３０Ｂの開度ＶＢが、均圧区間での電動膨張弁３０Ｂの開度ＰＢ１よりも小さい開度ＰＢ２に維持されるように電動膨張弁３０Ｂを制御する。同様に、室外制御装置５０は、除霜運転の直前に停止していた室内機３Ｃに対応する電動膨張弁３０Ｃの開度ＶＣが、均圧区間での電動膨張弁３０Ｃの開度ＰＢ２よりも小さい開度ＰＢ２に維持されるように電動膨張弁３０Ｃを制御する。
【００４９】
室外制御装置５０は、圧縮機１０の起動時から時間Ｔ２が経過した後、時間Ｔ３の間、圧縮機１０を運転周波数ＦＤ１よりも高い運転周波数ＦＤ２で運転するように圧縮機１０を制御するとともに、除霜運転の直前に運転していた室内機３Ａに対応する電動膨張弁３０Ａの開度ＶＡが、開度ＰＡ２よりも大きい開度ＰＡ３に維持されるように、電動膨張弁３０Ａを制御する。
【００５０】
このとき、室外制御装置５０は、除霜運転の直前に停止していた室内機３Ｂに対応する電動膨張弁３０Ｂの開度ＶＢが、開度ＰＢ２に維持されるように、電動膨張弁３０Ｂを制御する。同様に、室外制御装置５０は、除霜運転の直前に停止していた室内機３Ｃに対応する電動膨張弁３０Ｃの開度ＶＣが、開度ＰＢ２に維持されるように、電動膨張弁３０Ｃを制御する。室外制御装置５０は、圧縮機１０の起動から時間Ｔ２が経過し、その後、時間Ｔ３が経過したときに、圧縮機１０の運転を停止するように、圧縮機１０を制御する。
【００５１】
（第２均圧区間）
室外制御装置５０は、圧縮機１０の運転の停止から時間Ｔ４の間、除霜運転の直前に運転していた室内機３Ａに対応する電動膨張弁３０Ａの開度ＶＡを、開度ＰＡ３よりも小さな開度ＰＡ４に維持するように、電動膨張弁３０Ａを制御する。
【００５２】
このとき、室外制御装置５０は、除霜運転の直前に停止していた室内機３Ｂに対応する電動膨張弁３０Ｂの開度ＶＢが、開度ＰＢ３に維持されるように、電動膨張弁３０Ｂを制御する。同様に、室外制御装置５０は、除霜運転の直前に停止していた室内機３Ｂに対応する電動膨張弁３０Ｃの開度ＶＣが、開度ＰＢ３に維持されるように、電動膨張弁３０Ｃを制御する。
【００５３】
第２均圧区間では、圧縮機１０を停止させた状態で、電動膨張弁３０Ａ，３０Ｂ，３０Ｃを開くことで、電動膨張弁３０Ａ，３０Ｂ，３０Ｃの高圧側の圧力と低圧側の圧力とを均等にする。
【００５４】
室外制御装置５０は、除霜運転において、除霜運転の直前に運転していた室内機３Ａに対応する電動膨張弁３０Ａの開度ＶＡが、除霜運転の直前に停止していた室内機３Ｂ，３Ｃに対応する電動膨張弁３０Ｂ，３０Ｃの開度ＶＢ，ＶＣよりも大きくなるように電動膨張弁３０Ａ，３０Ｂ，３０Ｃを制御している。具体的には、第１均圧区間において、電動膨張弁３０Ａの開度ＰＡ１は、電動膨張弁３０Ｂ，３０Ｃの開度ＰＢ１よりも大きい。また、圧縮機動作区間において、電動膨張弁３０Ａの開度ＰＡ２と開度ＰＡ３とは、電動膨張弁３０Ｂ，３０Ｃの開度ＰＢ２よりも大きい。同様に、第２均圧区間において、電動膨張弁３０Ａの開度ＰＡ４は、電動膨張弁３０Ｂ，３０Ｃの開度ＰＢ３よりも大きい。
【００５５】
上記実施形態では、除霜運転において、除霜運転の直前に運転していた室内機３Ａと、除霜運転の直前に停止していた室内機３Ｂ，３Ｃとの両方で吸熱させるため、除霜運転の直前に運転していた室内機３Ａと、除霜運転の直前に停止していた室内機３Ｂ，３Ｃとのうちの一方で吸熱させる場合と比較して、吸熱量を増加でき、除霜時間を短縮できる。
【００５６】
また、上記実施形態のように、除霜運転の直前に低能力の室内機３Ａのみを運転していた場合には、除霜運転において、除霜運転の直前に運転していた室内機３Ａと、除霜運転の直前に停止していた室内機３Ｂ，３Ｃとの両方で吸熱させることで、吸熱量の少ない低能力の室内機３Ａのみで吸熱させる場合と比較して、効果的に除霜時間を短縮できる。
【００５７】
上記実施形態では、室外制御装置５０は、除霜運転において、除霜運転の直前に運転していた室内機３Ａに対応する電動膨張弁３０Ａの開度ＶＡが、除霜運転の直前に停止していた室内機３Ａ，３Ｂに対応する電動膨張弁３０Ｂ，３０Ｃの開度ＶＢ，ＶＣよりも大きくなるように、電動膨張弁３０Ａ，３０Ｂ，３０Ｃを制御している。このため、除霜運転の直前に停止していた室内機３Ｂ，３Ｃに流入する冷媒量を抑制できるので、除霜運転の直前に停止していた室内機３Ｂ，３Ｃから外部に漏れる冷媒音を抑制できる。すなわち、運転停止しているはずの室内機３Ｂ，３Ｃから音が発生して、ユーザに違和感を与えることがない。また、除霜運転の直前まで室内機３Ａにより暖房運転されていた部屋から吸熱できるため、吸熱量を増加でき、除霜時間を短縮できる。
【００５８】
上記実施形態では、室外制御装置５０は、除霜運転の直前に運転していた室内機３Ａに対応する電動膨張弁３０Ａの開度ＶＡが、圧縮機１０の起動時に、第１均圧区間における電動膨張弁３０Ａの開度ＰＡ１よりも小さい開度ＰＡ２になるように、電動膨張弁３０Ａを制御している。このため、除霜運転の直前に運転していた室内機３Ａに流入する冷媒量を抑制でき、除霜運転の直前に運転していた室内機３Ａから外部に漏れる冷媒音を低減できる。また、室外制御装置５０は、圧縮機動作区間において、電動膨張弁３０Ａの開度ＶＡが開度ＰＢ２以上の開度になるように、電動膨張弁３０Ａを制御している。このため、圧縮機１０の運転周波数ＦＤを増加させた場合であっても、除霜運転の直前に運転していた室内機３Ａに流入する冷媒の流速の増加を抑制できるので、室内機３Ａから外部に漏れる冷媒音を低減できる。
【００５９】
以下に説明する第２実施形態及び第３実施形態では、第１実施形態と同一ないし同様の要素には、同一の参照符号を付して、その詳細な説明は省略する。さらに、第２実施形態及び第３実施形態では、特に言及する点を除いて、第１実施形態と同様の作用効果を奏する。
【００６０】
［第２実施形態］
図４は、本実施形態の空気調和機１に係る除霜運転前後の圧縮機１０及び電動膨張弁３０Ａ，３０Ｂ，３０Ｃの動作を表すタイムチャートである。
【００６１】
本実施形態では、除霜運転の直前に運転していた室内機の数が第１実施形態と異なる。具体的には、本実施形態では、室内機３Ａと室内機３Ｂとは、除霜運転の直前に暖房運転していた室内機であり、室内機３Ｃは、除霜運転の直前に停止していた室内機である。また、本実施形態では、室外制御装置５０は、室内機３Ｃに対応する電動膨張弁３０Ｃに対して、第１実施形態と同様の制御を行うため、その詳細な説明は省略する。
【００６２】
（第１均圧区間）
室外制御装置５０は、除霜運転の開始から時間Ｔ１の間、電動膨張弁３０Ａの開度ＶＡと電動膨張弁３０Ｂの開度ＶＢとを開度ＰＣ１に維持するように、電動膨張弁３０Ａ，３０Ｂを制御する。開度ＰＣ１は、第１実施形態での、除霜運転の直前に運転していた室内機３Ａに対応する電動膨張弁３０Ａの均圧区間における開度ＰＡ１と同一である。
【００６３】
（圧縮機動作区間）
室外制御装置５０は、除霜運転の開始から時間Ｔ１が経過した後、時間Ｔ２の間、電動膨張弁３０Ａの開度ＶＡと電動膨張弁３０Ｂの開度ＶＢとを均圧区間での開度ＰＣ１よりも小さい開度ＰＣ２（所定開度）に維持するように電動膨張弁３０Ａと電動膨張弁３０Ｂとを制御する。開度ＰＣ２は、第１実施形態での、除霜運転の直前に運転していた室内機３Ａに対応する電動膨張弁３０Ａの開度ＰＡ２よりも大きい。
【００６４】
室外制御装置５０は、圧縮機１０の起動時から時間Ｔ２が経過した後、時間Ｔ３の間、電動膨張弁３０Ａの開度ＶＡと電動膨張弁３０Ｂの開度ＶＢとを、開度ＰＣ２よりも大きい開度ＰＣ３に維持するように、電動膨張弁３０Ａと電動膨張弁３０Ｂとを制御する。開度ＰＣ３は、第１実施形態での、除霜運転の直前に運転していた室内機３Ａに対応する電動膨張弁３０Ａの開度ＰＡ３よりも大きい。
【００６５】
（第２均圧区間）
室外制御装置５０は、圧縮機１０の運転の停止から時間Ｔ４の間、電動膨張弁３０Ａの開度ＶＡと電動膨張弁３０Ｂの開度ＶＢとを開度ＰＣ４に維持するように、電動膨張弁３０Ａと電動膨張弁３０Ｂとを制御する。
【００６６】
本実施形態では、第１実施形態と同一の作用効果を奏する。
【００６７】
上記実施形態によれば、除霜運転の直前に運転していた室内機の数（本実施形態では２つ）が多いほど、除霜運転の直前に運転していた室内機１つ当たりに流入する冷媒の流量が減少するため、除霜運転の直前に運転していた室内機３Ａ，３Ｂに対応する電動膨張弁３０Ａ，３０Ｂの開度ＶＡ，ＶＢを大きくした場合であっても、冷媒音を抑制できる。
【００６８】
［第３実施形態］
図５は、本実施形態の空気調和機１に係る除霜運転前後の圧縮機１０及び電動膨張弁３０Ａ，３０Ｂ，３０Ｃの動作を表すタイムチャートである。本実施形態では、室外制御装置５０は、圧縮機動作区間において、電動膨張弁３０Ａに対して第１実施形態と異なる制御を行う。また、本実施形態では、室外制御装置５０は、電動膨張弁３０Ｂ，３０Ｃに対して、第１実施形態と同様の制御を行うため、その詳細な説明は省略する。
【００６９】
本実施形態では、室外制御装置５０は、圧縮機動作区間において、電動膨張弁３０Ａの開度ＶＡが一定であるように、電動膨張弁３０Ａを制御する。すなわち、本実施形態の開度ＰＡ３は、開度ＰＡ２に等しい。
【００７０】
本実施形態では、第１実施形態と同一の作用効果を奏する。
【００７１】
以上、実施形態を説明したが、特許請求の趣旨及び範囲から逸脱することなく、形態や詳細の多様な変更が可能なことが理解されるであろう。
【００７２】
例えば、上記第１〜第３実施形態では、電動膨張弁３０Ａ，３０Ｂ，３０Ｃは、室外機２の内部に設けられていたが、これに限定されず、例えば、室内機３Ａ，３Ｂ，３Ｃのそれぞれが電動膨張弁を備えていてもよい。すなわち、室内機３Ａが、電動膨張弁３０Ａを備えていてもよく、室内機３Ｂが、電動膨張弁３０Ｂを備えていてもよく、室内機３Ｃが電動膨張弁３０Ｃを備えていてもよい。
【００７３】
また、上記第１〜第３実施形態では、３つの室内機３Ａ，３Ｂ，３Ｃを備えていたが、室内機の数は、２つであってもよいし、４つ以上であってもよい。
【符号の説明】
【００７４】
１…空気調和機
２…室外機
３Ａ，３Ｂ，３Ｃ…室内機
４Ａ，４Ｂ，４Ｃ…
１０…圧縮機
１１…アキュムレータ
２０…室外熱交換器
２１…温度センサ
２２…室外ファン
３０Ａ，３０Ｂ，３０Ｃ…電動膨張弁
４０…四路切換弁
４１…第１ポート
４２…第２ポート
４３…第３ポート
４４…第４ポート
５０…室外制御装置（制御部）
６０Ａ，６０Ｂ，６０Ｃ…室内熱交換器
６１Ａ，６１Ｂ，６１Ｃ…室内ファン
６２Ａ，６２Ｂ，６２Ｃ…室内制御部
７０Ａ，７０Ｂ，７０Ｃ…冷媒配管接続部
７１Ａ，７１Ｂ，７１Ｃ…冷媒配管接続部
１０１…ケーシング本体
１０２…パネル
１０３…グリル
１０４…ドレンソケット
１０５…配管接続部
１０６…配管接続部
１０７…電装品部
１１０…吹出口
１１１…吊り金具
１１２…吊り金具
１１３…吊り金具
１２０…フラップ
【図１】
2019143951.tif 000003
【図２】
2019143951.tif 000004
【図３】
2019143951.tif 000005
【図４】
2019143951.tif 000006
【図５】
2019143951.tif 000007